(57)【要約】【課題】電子部品のみならず、表示モジュールに対しても十分な放熱効果を得ることができる表示装置を提供する。【解決手段】表示モジュール３と、表示モジュールの背面を覆う背面筐体５とを備えた表示装置１である。表示装置は、表示モジュール及び背面筐体で区画された空間内に、電子部品４４を搭載した回路基板４０等と、回路基板を設置して電子部品を放熱させるトレイ部材２０とを有する。トレイ部材は、表示モジュールと回路基板との間に配置され、トレイ部材と表示モジュールとの間には、表示モジュール及び電子部品からの熱を背面筐体外の外気によって放熱させる通気用通路６が設けられている。【選択図】図４
2014059502.tif 000002
【特許請求の範囲】
【請求項１】
表示モジュールと、該表示モジュールの背面を覆う背面筐体とを備えた表示装置において、
前記表示モジュール及び前記背面筐体で区画された空間内に、電子部品を搭載した回路基板と、該回路基板を設置して前記電子部品を放熱させるトレイ部材とを有し、
該トレイ部材は、前記表示モジュールと前記回路基板との間に配置され、前記トレイ部材と前記表示モジュールとの間には、該表示モジュール及び前記電子部品からの熱を背面筐体外の外気によって放熱させる通気用通路が設けられていることを特徴とする表示装置。
【請求項２】
請求項１に記載の表示装置において、
前記背面筐体は、前記通気用通路の下方にて開口し、前記外気を前記通気用通路内に取り込む下面吸気口と、前記通気用通路の上方にて開口し、前記通気用通路内の空気を前記背面筐体外に排出する上面排気口とを有することを特徴とする表示装置。
【請求項３】
請求項１又は２に記載の表示装置において、
前記背面筐体は、該背面筐体の上部から前記表示モジュール及び前記背面筐体で区画された空間内に延び、かつ、前記トレイ部材に連結する隔壁を有し、該隔壁は、前記通気用通路と前記回路基板の配置空間とを区画することを特徴とする表示装置。
【請求項４】
請求項３に記載の表示装置において、
前記背面筐体は、前記トレイ部材に対して前記表示モジュールの反対側にて開口する複数の通気口を有し、該通気口は、前記外気を前記回路基板の配置空間内に取り込む背面吸気口と、該背面吸気口よりも上方に設けられ、前記回路基板の配置空間内の空気を前記背面筐体外に排出する背面排気口とを含むことを特徴とする表示装置。
【請求項５】
請求項１から４のいずれか１項に記載の表示装置において、
前記表示モジュール及び前記トレイ部材は、前記通気用通路内に突設された放熱フィンを有することを特徴とする表示装置。
【請求項６】
請求項１から５のいずれか１項に記載の表示装置において、
所定の配線パターンを有し、前記通気用通路内に延びたケーブルと、前記通気用通路内で前記ケーブルを覆うカバー部材とをさらに備えることを特徴とする表示装置。
【発明の詳細な説明】
【技術分野】
【０００１】
本発明は、表示装置に関し、詳細には、表示モジュールと、表示モジュールの背面を覆う背面筐体とを備えた表示装置に関する。
【背景技術】
【０００２】
この種の表示装置では、例えば、液晶ディスプレイ、プラズマディスプレイや、有機ＥＬディスプレイ等の薄型の表示モジュールを有した構造が知られている。表示モジュールの背面は背面筐体で覆われており、表示装置を駆動させる電子部品や回路基板は、背面筐体内に配置されている。
電子部品の高密度実装や高出力化は、薄型の表示装置や高機能の表示装置を実現させる一方、発熱量が増加し、性能や信頼性の低下を招く原因になる。このため、背面筐体内では、電子部品等を良好に放熱させる必要がある。
【０００３】
表示装置では、例えば、ファンの駆動による強制空冷や、開口を設けた自然空冷などで放熱しているが、強制空冷にはファンの騒音等の問題があり、自然空冷には十分な開口面積を確保しなければ効率よく放熱できないという問題がある。また、十分な開口面積を確保できたとしても、この開口から背面筐体内に浸入した水分を電子部品等に付着させたくない。そこで、例えば、特許文献１には、浸入した水分を電子部品等に付着させない表示装置の構造が開示されている。
【先行技術文献】
【特許文献】
【０００４】
【特許文献１】特開２００９−２３１５１１号公報
【発明の概要】
【発明が解決しようとする課題】
【０００５】
ところで、特許文献１に記載の表示装置は、四角筒状の放熱器を有し、この放熱器の内周面が空気の通路をなし、電子部品等を放熱器の外周面に設置している。しかし、この電子部品等は表示モジュールと放熱器との間に配置され、表示モジュールの放熱は、電子部品等を跨いで表示モジュールと放熱器とに接触する熱伝導部品を介して行われている。よって、特許文献１の構造では、電子部品の他、表示モジュールに対しても十分な放熱効果を得る点については、依然として課題が残されている。
【０００６】
また、筒状の放熱器によれば高い煙突効果が得られるが、放熱器の外周面のうち、表示モジュールとは反対側の別の外周面にも電子部品や回路基板を設置するのは、表示装置の薄型化の妨げになる。このため、特許文献１の構造には、電子部品等の設置自由度が小さいという問題もある。
【０００７】
本発明は、上述の如き実情に鑑みてなされたもので、電子部品のみならず、表示モジュールに対しても十分な放熱効果を得ることができる表示装置を提供することを目的とする。
【課題を解決するための手段】
【０００８】
上記課題を解決するために、本発明の第１の技術手段は、表示モジュールと、該表示モジュールの背面を覆う背面筐体とを備えた表示装置において、前記表示モジュール及び前記背面筐体で区画された空間内に、電子部品を搭載した回路基板と、該回路基板を設置して前記電子部品を放熱させるトレイ部材とを有し、該トレイ部材は、前記表示モジュールと前記回路基板との間に配置され、前記トレイ部材と前記表示モジュールとの間には、該表示モジュール及び前記電子部品からの熱を背面筐体外の外気によって放熱させる通気用通路が設けられていることを特徴とする表示装置である。
【０００９】
第２の技術手段は、第１の技術手段において、前記背面筐体は、前記通気用通路の下方にて開口し、前記外気を前記通気用通路内に取り込む下面吸気口と、前記通気用通路の上方にて開口し、前記通気用通路内の空気を前記背面筐体外に排出する上面排気口とを有することを特徴とするものである。
【００１０】
第３の技術手段は、第１又は２の技術手段において、前記背面筐体は、該背面筐体の上部から前記表示モジュール及び前記背面筐体で区画された空間内に延び、かつ、前記トレイ部材に連結する隔壁を有し、該隔壁は、前記通気用通路と前記回路基板の配置空間とを区画することを特徴とするものである。
【００１１】
第４の技術手段は、第３の技術手段において、前記背面筐体は、前記トレイ部材に対して前記表示モジュールの反対側にて開口する複数の通気口を有し、該通気口は、前記外気を前記回路基板の配置空間内に取り込む背面吸気口と、該背面吸気口よりも上方に設けられ、前記回路基板の配置空間内の空気を前記背面筐体外に排出する背面排気口とを含むことを特徴とするものである。
【００１２】
第５の技術手段は、第１から４のいずれか１の技術手段において、前記表示モジュール及び前記トレイ部材は、前記通気用通路内に突設された放熱フィンを有することを特徴とするものである。
【００１３】
第６の技術手段は、第１から５のいずれか１の技術手段において、所定の配線パターンを有し、前記通気用通路内に延びたケーブルと、前記通気用通路内で前記ケーブルを覆うカバー部材とをさらに備えることを特徴とするものである。
【発明の効果】
【００１４】
本発明によれば、表示モジュール、トレイ部材、回路基板の順に並んで配置され、このトレイ部材と表示モジュールとの間には、通気用通路が設けられており、表示モジュール及び電子部品を外気によって放熱させる。よって、電子部品のみならず、表示モジュールに対しても十分な放熱効果を得ることができる。
【図面の簡単な説明】
【００１５】
【図１】本発明による表示装置を背面側から見た斜視図である。
【図２】本発明による表示モジュールの背面図である。
【図３】図１のＩＩＩ−ＩＩＩ線の矢視断面図である。
【図４】図１のＩＶ−ＩＶ線の矢視断面図である。
【図５】図４の部分拡大図である。
【発明を実施するための形態】
【００１６】
以下、図面を参照しながら本発明の表示装置について説明する。図１は、本発明による表示装置を背面側から見た斜視図である。表示装置１は、例えば、スタンド付きの液晶テレビであり、部屋の床やテレビ台などの上に設置可能に構成されている。
表示モジュール３は、その図示は省略するが、例えば、液晶層やガラス基板などを有した矩形のＬＣＤ（Liquid Crystal Display）パネルや、保護ガラス、偏光板、拡散板、バックライト等を備えている。バックライトは、例えば、ＬＥＤを平面的に並べた直下型で構成されている。
【００１７】
表示モジュール３の正面の周縁や外周面は、枠形の前キャビネット２で押さえられ、表示モジュール３の背面は、箱形の後キャビネット５で覆われている。後キャビネット５は、その前方が開放されており、この開放された周縁部分が前キャビネット２に連結可能に構成されている。なお、後キャビネット５が本発明の背面筐体に相当する。
また、後キャビネット５は、表示モジュール３の四辺に沿って、下面１０、上面１１、右側面１２や左側面１３を有している。下面１０が上記スタンドの近傍で水平方向に延びており、上面１１が上記スタンドから最も離れた位置で水平方向に、右側面１２が表示装置１の正面から見て右側で上下方向に、左側面１３が同じく正面から見て左側で上下方向にそれぞれ延びている。
【００１８】
下面１０、上面１１、右側面１２や左側面１３は、例えば、段付きで形成され、表示モジュール３から離れるに連れて中央に寄っており、表示モジュール３の反対側は、平坦な背面１４で閉じられている。
一方、後キャビネット５の内部には、表示装置１を駆動させる電子部品や回路基板が収納されている。
【００１９】
図２は、本発明による表示モジュールの背面図であり、図１の表示装置１から後キャビネット５を取り外した状態を示している。
表示モジュール３の背面側には、例えば、メイン基板３０、電源基板４０やパネルコントロール基板５０などが設けられ、これらは後キャビネット５で覆われて保護されている。メイン基板３０には、表示装置１の各種動作を制御する制御回路が形成されている。電源基板４０には、表示装置１への供給電力を制御する電源回路が形成され、パネルコントロール基板５０には、ＬＣＤパネルを制御するＬＣＤ制御回路が形成されている。なお、メイン基板３０、電源基板４０やパネルコントロール基板５０が本発明の回路基板に相当する。
【００２０】
ここで、メイン基板３０、電源基板４０やパネルコントロール基板５０は、トレイ部材２０に設置されている。詳しくは、トレイ部材２０は、例えば、四角形の薄い板状に形成され、トレイ部材２０の表面は、所定の間隙を有した状態で、表示モジュール３に対向しており、トレイ部材２０は、その周囲に設けたピン２３で表示モジュール３に固定されている。
メイン基板３０、電源基板４０やパネルコントロール基板５０は、トレイ部材２０の裏面２２に設置されている。
【００２１】
例えば、メイン基板３０、電源基板４０やパネルコントロール基板５０は、いずれもトレイ部材２０よりも小さな、例えば、四角形状に形成され、メイン基板３０は、トレイ部材２０の中央に対して図１の右側面１２寄りに配置されている。メイン基板３０の表面は、トレイ部材２０に対向し、メイン基板３０の裏面３２から挿入したピン３３を用いてトレイ部材２０に固定されている。
電源基板４０は、トレイ部材２０の中央に対して図１の左側面１３寄りに配置され、電源基板４０の表面は、トレイ部材２０に対向している。電源基板４０は、その裏面４２から挿入したピン４３を用いてトレイ部材２０に固定されている。
【００２２】
パネルコントロール基板５０は、トレイ部材２０の中央に対して図１の下面１０寄りに配置されている。パネルコントロール基板５０の表面は、トレイ部材２０に対向し、パネルコントロール基板５０は、その裏面５２から挿入したピン５３を用いてトレイ部材２０に固定されている。なお、裏面５２の下側部分には、フレキシブルケーブル５５に接続されるコネクタ５４が設けられている。このフレキシブルケーブル５５が本発明のケーブルに相当する。
【００２３】
図３は、図１のＩＩＩ−ＩＩＩ線の矢視断面図であり、図４は、図１のＩＶ−ＩＶ線の矢視断面図である。
図３に示すように、上述したメイン基板３０の表面３１には、電子部品３４が搭載され、電子部品３４とトレイ部材２０の裏面２２とは、放熱板３５を介して接触している。また、電源基板４０の表面４１には、電子部品４４が複数搭載されており、電子部品４４とトレイ部材２０の裏面２２とは、放熱板４５や放熱シート４７を介して接触している。なお、電子部品４４の構成によっては、放熱板４５と放熱シート４７との間に強化絶縁シート４６を挟持させてもよい。
【００２４】
なお、図４に示すパネルコントロール基板５０の表面５１にも、例えば、ＬＣＤ制御回路のタイミングコントローラのような電子部品を搭載し、放熱板等を介してトレイ部材２０の裏面２２に接触させてもよい。このように、トレイ部材２０は、メイン基板３０、電源基板４０やパネルコントロール基板５０を裏面２２に設置し、放熱板３５等との接触によって電子部品３４等を放熱することができる。
さらに、トレイ部材２０は、表示モジュール３とメイン基板３０等との間に配置されることにより、表示モジュール３も放熱することができる。
【００２５】
具体的には、図３，４に示すように、トレイ部材２０の表面２１と表示モジュール３の背面との間には、通気用通路６が設けられている。通気用通路６の右方や左方は、右側面１２や左側面１３で区画されている。また、通気用通路６の下方には、図４に示すように、下面吸気口１０ａが後キャビネット５の下面１０を貫通して形成され、この下面吸気口１０ａは、例えば、表示装置１の左右方向に沿って横長に形成されている。一方、通気用通路６の上方には、図１にも示すような横長の上面排気口１１ａが後キャビネット５の上面１１を貫通して形成されている。
【００２６】
通気用通路６は、トレイ部材２０の表面２１と表示モジュール３の背面との幅が、例えば、１０ｍｍ以上の間隔を有して形成されている。通気用通路６内に外気よりも高温の空気が存在すると、図４の上向きの矢印で示すように、この高温の空気が上面排気口１１ａに向けて上昇すると共に、外気が下面吸気口１０ａから通気用通路６内に取り込まれる。このように、通気用通路６内の高温の空気は、煙突効果によって上面排気口１１ａから後キャビネット５の外部に速やかに排出される。
【００２７】
さらに、電子部品３４等は、トレイ部材２０を挟んで表示モジュール３の反対側に配置され、通気用通路６内に配置されていない。よって、仮に、水分等が上面排気口１１ａから通気用通路６内に浸入しても、電子部品３４等に付着し難くなる。
また、上記のような板状のトレイ部材２０を採用すれば、裏面２２の他、表面２１に電子部品や回路基板を設置しても表示装置１の薄型化は達成可能であり、従来に比べて電子部品等の設置自由度が大きくなる。
【００２８】
なお、放熱効率をさらに高めたい場合には、放熱フィンを通気用通路６内に設けてもよい。詳しくは、図３に示すように、トレイ部材２０の表面２１には、例えば、表示装置１の上下方向に延びた複数の放熱フィン２４が設けられている。また、表示モジュール３の背面にも、例えば、同じく上下方向に延びた複数の放熱フィン４が、隣り合う放熱フィン２４の間に設けられており、放熱フィン２４と放熱フィン４とは互い違いに配置されている。
【００２９】
ところで、後キャビネット５内には、トレイ部材２０の表面２１側に位置する通気用通路６と、トレイ部材２０の裏面２２側に位置する回路基板の配置空間７とが形成されるが、通気用通路６と回路基板の配置空間７とは、隔壁１６で区画されている。
具体的には、図３，４に示すように、隔壁１６は、上面１１、右側面１２及び左側面１３の内側がトレイ部材２０に向けて延び、かつ、例えば、トレイ部材２０の周縁に連結している。このため、仮に、水分等が上面排気口１１ａから通気用通路６内に浸入しても、隔壁１６が回路基板の配置空間７への浸入をより確実に防止できる。
【００３０】
一方、回路基板の配置空間７内にも外気が導入される。後キャビネット５の背面１４には、トレイ部材２０に対して表示モジュール３の反対側にて開口する複数の通気口が形成されており、図１，４に示すように、下面１０の近傍には、例えば、横長の第１の背面吸気口１４ａが背面１４を貫通して形成され、その上方にも、同じく横長の第２の背面吸気口１４ｂが背面１４を貫通して形成されている。なお、第１の背面吸気口１４ａからの外気は、上述の通気用通路６の放熱にも利用できるので、下面１０の内側からトレイ部材２０の周縁に向かう隔壁は設けていない。
【００３１】
また、背面１４のうち上面排気口１１ａの近傍にも、例えば、横長の背面排気口１４ｃが背面１４を貫通して形成されている。従って、回路基板の配置空間７内に外気よりも高温の空気が存在すると、図４の上向きの矢印で示すように、この高温の空気が背面排気口１４ｃに向けて上昇すると共に、外気が表示装置１の後方から第１，２の背面吸気口１４ａ，１４ｂを介して回路基板の配置空間７内に取り込まれる。回路基板の配置空間７内の高温の空気は、背面排気口１４ｃから表示装置１の後方に向けて排出される。
【００３２】
図５は、図４の部分拡大図である。所定の配線パターンを有したフレキシブルケーブル５５が、例えば、表示モジュール３内のドライバ基板とパネルコントロール基板５０の裏面５２に設けたコネクタ５４とを接続し、通気用通路６内に延びている。なお、このドライバ基板は、ＬＣＤパネルを駆動するソースドライバやゲートドライバに接続されている。
上述のように、通気用通路６の直上方には、水分等の浸入し得る上面排気口１１ａが設けられている。このため、カバー部材６０が通気用通路６内でフレキシブルケーブル５５の上方を覆っている。
【００３３】
カバー部材６０は、例えば、断面コ字状に形成され、その開口を下方に向けた姿勢にて、例えば、パネルコントロール基板５０の表面５１と表示モジュール３とに接して設置されており、上面排気口１１ａから浸入した水分に対してフレキシブルケーブル５５を保護している。
なお、上記実施例では、直下型のバックライトを例に挙げて説明したが、エッジライト型などで構成してもよい。また、本発明は、光源への印加電圧の周波数を調整するインバータ基板などを回路基板としてトレイ部材に設置した場合にも適用可能である。
【符号の説明】
【００３４】
１…表示装置、２…前キャビネット、３…表示モジュール、４…放熱フィン、５…後キャビネット、６…通気用通路、７…回路基板の配置空間、１０…下面、１０ａ…下面吸気口、１１…上面、１１ａ…上面排気口、１２…右側面、１３…左側面、１４…背面、１４ａ…第１の背面吸気口、１４ｂ…第２の背面吸気口、１４ｃ…背面排気口、１６…隔壁、２０…トレイ部材、２１…表面、２２…裏面、２３…ピン、２４…放熱フィン、３０…メイン基板、３１…表面、３２…裏面、３３…ピン、３４…電子部品、３５…放熱板、４０…電源基板、４１…表面、４２…裏面、４３…ピン、４４…電子部品、４５…放熱板、４６…強化絶縁シート、４７…放熱シート、５０…パネルコントロール基板、５１…表面、５２…裏面、５３…ピン、５４…コネクタ、５５…フレキシブルケーブル、６０…カバー部材。
【図１】
2014059502.tif 000003
【図２】
2014059502.tif 000004
【図３】
2014059502.tif 000005
【図４】
2014059502.tif 000006
【図５】
2014059502.tif 000007